(57)【要約】  本開示は、ロングタームエボリューション（ＬＴＥ）セルラ通信ネットワークの基地局間（ＢＳ−ＢＳ）ゲートウェイおよびそのオペレーション方法に関する。一実施形態では、ＢＳ−ＢＳゲートウェイは、第１の基地局のホスト名およびネットワークアドレスを含む、第１の基地局からの情報を受信する。ＢＳ−ＢＳゲートウェイは、次いで、ホスト名とネットワークアドレスとの間のマッピングを記憶する。その後、一実施形態では、ＢＳ−ＢＳゲートウェイは、第１の基地局のホスト名を使用して、第２の基地局がメッセージを第１の基地局にアドレス指定することを可能にする。このようにして、第１の基地局のネットワークアドレスの変更は、メッセージを第１の基地局にアドレス指定する第２の基地局の能力に影響を及ぼさない。いくつかの実施形態では、第１の基地局は低電力基地局（ＬＰ−ＢＳ）であり、第２の基地局は高電力基地局（ＨＰ−ＢＳ）である。【選択図】図３
2015533465.tif 000002
【特許請求の範囲】
【請求項１】
セルラ通信ネットワーク（２４）の第１の基地局（２８、３０）と第２の基地局（２８、３０）との間の基地局間ゲートウェイ（４０）のオペレーション方法であって、
前記第１の基地局（２８、３０）のホスト名、および
前記第１の基地局（２８、３０）のネットワークアドレス、
を含む、前記第１の基地局（２８、３０）からの情報を受信することと、
前記ホスト名と前記ネットワークアドレスとの間のマッピングを記憶すること
を含む、方法。
【請求項２】
前記第１の基地局（２８、３０）は低電力基地局（３０）であり、前記第２の基地局（２８、３０）は高電力基地局（２８）である、請求項１に記載の方法。
【請求項３】
前記セルラ通信ネットワーク（２４）はロングタームエボリューションセルラ通信ネットワーク（２４）であり、前記基地局間ゲートウェイ（４０）はＸ２−ＧＷ（４０）であり、さらに、
前記第１の基地局（２８、３０）から前記情報を受信することは、前記第１の基地局（２８、３０）から、ストリーム制御伝送プロトコルＩＮＩＴメッセージを介して、前記情報を受信することを含む、
請求項１に記載の方法。
【請求項４】
前記ＳＣＴＰ  ＩＮＩＴメッセージは、前記第１の基地局（２８、３０）の前記ホスト名と、前記第１の基地局（２８、３０）の前記ネットワークアドレスとを含む、請求項３に記載の方法。
【請求項５】
前記ＳＣＴＰ  ＩＮＩＴメッセージは前記第１の基地局（２８、３０）の前記ホスト名を含み、前記第１の基地局（２８、３０）の前記ネットワークアドレスは、前記ＳＣＴＰ  ＩＮＩＴメッセージが含まれるＩＰパケットのヘッダ内に含まれる送信者インターネットプロトコル（ＩＰ）アドレスから決定される、請求項３に記載の方法。
【請求項６】
前記第１の基地局（２８、３０）は低電力基地局（３０）であり、前記第２の基地局（２８、３０）は高電力基地局（２８）である、請求項３に記載の方法。
【請求項７】
前記高電力基地局（２８）はｅＮＢ（２８）であり、前記低電力基地局（３０）は、マイクロセルｅＮＢ、ピコセルｅＮＢ、フェムトセルｅＮＢ、およびホームｅＮＢ（３０）から成る群から選択される、請求項６に記載の方法。
【請求項８】
前記第２の基地局（２８、３０）から接続起動を受信して、前記第１の基地局（２８、３０）への接続を起動することと、
前記第２の基地局（２８、３０）に、前記基地局間ゲートウェイ（４０）は基地局間ゲートウェイ（４０）であることを知らせることと
をさらに含む、請求項１に記載の方法。
【請求項９】
前記第１の基地局（２８、３０）は低電力基地局（３０）であり、前記第２の基地局（２８、３０）は高電力基地局（２８）である、請求項８に記載の方法。
【請求項１０】
前記セルラ通信ネットワーク（２４）はロングタームエボリューションセルラ通信ネットワーク（２４）であり、前記基地局間ゲートウェイ（４０）はＸ２−ＧＷ（４０）であり、さらに、
前記接続起動を受信することは、前記高電力基地局（２８）からストリーム制御伝送プロトコルＩＮＩＴメッセージを受信することを含み、
前記高電力基地局（２８）に知らせることは、前記高電力基地局（２８）に前記Ｘ２−ＧＷ（４０）はＸ２−ＧＷ（４０）であることを示すエラーコードで、前記高電力基地局（２８）へストリーム制御伝送プロトコルＥＲＲＯＲメッセージを送信することを含む、
請求項９に記載の方法。
【請求項１１】
前記第２の基地局（２８、３０）からメッセージを受信することであり、前記メッセージの宛先は前記第１の基地局（２８、３０）の前記ホスト名として識別される、受信することと、
前記第１の基地局（２８、３０）の前記ホスト名と前記ネットワークアドレスとの間の前記マッピングから、前記第１の基地局（２８、３０）の前記ネットワークアドレスを得ることと、
前記ネットワークアドレスを使用して、前記メッセージを前記第１の基地局（２８、３０）へ送信することと
をさらに含む、請求項１に記載の方法。
【請求項１２】
前記第１の基地局（２８、３０）は低電力基地局（３０）であり、前記第２の基地局（２８、３０）は高電力基地局（２８）である、請求項１１に記載の方法。
【請求項１３】
前記セルラ通信ネットワーク（２４）はロングタームエボリューションセルラ通信ネットワーク（２４）であり、前記基地局間ゲートウェイ（４０）はＸ２−ＧＷ（４０）であり、さらに、
前記メッセージを受信することは、前記高電力基地局（２８）と前記Ｘ２−ＧＷ（４０）との間の第１のＸ２接続を介して、前記高電力基地局（２８）から前記メッセージを受信することを含み、
前記メッセージを送信することは、前記Ｘ２−ＧＷ（４０）と前記低電力基地局（３０）との間の第２のＸ２接続を介して、前記低電力基地局（３０）へ前記メッセージを送信することをさらに含む、
を請求項１２に記載の方法。
【請求項１４】
セルラ通信ネットワーク（２４）の第１の基地局（２８、３０）と第２の基地局（２８、３０）との間で使用するために構成されている基地局間ゲートウェイ（４０）であって、
ストレージユニット（８２）と、
前記基地局間ゲートウェイを、前記第１の基地局（２８、３０）および前記第２の基地局（２８、３０）の１つまたは複数に通信可能に結合するように構成されている通信サブシステム（７８）と、
前記通信サブシステム（７８）を介して、前記第１の基地局（２８、３０）から情報を受信するように構成されており、前記情報は、
前記第１の基地局（２８、３０）のホスト名、および
前記第１の基地局（２８、３０）のネットワークアドレス
を含み、
前記ホスト名と前記ネットワークアドレスとの間のマッピングを、前記ストレージユニット（８２）内に記憶するように構成されている、
前記通信サブシステム（７８）および前記ストレージユニット（８２）に関連する処理サブシステム（８０）と
を含む、基地局間ゲートウェイ（４０）。
【請求項１５】
前記第１の基地局（２８、３０）は低電力基地局（３０）であり、前記第２の基地局（２８、３０）は高電力基地局（２８）である、請求項１４に記載の基地局間ゲートウェイ（４０）。
【請求項１６】
前記セルラ通信ネットワーク（２４）はロングタームエボリューションセルラ通信ネットワーク（２４）であり、
前記基地局間ゲートウェイ（４０）はＸ２−ＧＷ（４０）であり、
前記低電力基地局（３０）から情報を受信するために、前記処理サブシステム（８０）は、前記低電力基地局（３０）から、ストリーム制御伝送プロトコルＩＮＩＴメッセージを介して、前記情報を受信するようにさらに構成されている、
請求項１５に記載の基地局間ゲートウェイ（４０）。
【請求項１７】
前記高電力基地局（２８）はｅＮＢ（２８）であり、前記低電力基地局（３０）は、マイクロセルｅＮＢ、ピコセルｅＮＢ、フェムトセルｅＮＢ、およびホームｅＮＢ（３０）から成る群から選択される、請求項１６に記載の基地局間ゲートウェイ（４０）。
【請求項１８】
前記処理サブシステム（８０）は、
前記通信サブシステム（７８）を介して、前記高電力基地局（２８）から接続起動を受信して、前記低電力基地局（３０）への接続を起動し、
前記通信サブシステム（７８）を介して、前記高電力基地局（２８）に、前記基地局間ゲートウェイ（４０）が基地局間ゲートウェイ（４０）であることを知らせる
ようにさらに構成されている、請求項１５に記載の基地局間ゲートウェイ（４０）。
【請求項１９】
前記基地局間ゲートウェイ（４０）はＸ２−ＧＷ（４０）であり、
前記接続起動を受信するために、前記処理サブシステム（８０）は、前記高電力基地局（２８）からストリーム制御伝送プロトコルＩＮＩＴメッセージを受信して、前記低電力基地局（３０）への前記接続を起動するようにさらに構成されており、
前記高電力基地局（２８）に知らせるために、前記処理サブシステム（８０）は、前記高電力基地局（２８）に前記Ｘ２−ＧＷ（４０）はＸ２−ＧＷ（４０）であることを示すエラーコードで、前記高電力基地局（２８）へストリーム制御伝送プロトコルＥＲＲＯＲメッセージを送信するようにさらに構成されている、
請求項１８に記載の基地局間ゲートウェイ（４０）。
【請求項２０】
前記接続起動を受信するために、前記処理サブシステム（８０）は、前記高電力基地局（２８）からストリーム制御伝送プロトコルＩＮＩＴメッセージを受信して、前記低電力基地局（３０）への前記接続を起動するようにさらに構成されており、
前記高電力基地局（２８）に知らせるために、前記処理サブシステム（８０）は、前記高電力基地局（２８）に前記基地局間ゲートウェイ（４０）は基地局間ゲートウェイ（４０）であることを示すエラーコードで、前記高電力基地局（２８）へストリーム制御伝送プロトコルＥＲＲＯＲメッセージを送信するようにさらに構成されている、
請求項１８に記載の基地局間ゲートウェイ（４０）。
【請求項２１】
前記処理サブシステム（８０）は、
前記通信サブシステム（７８）を介して、前記高電力基地局（２８）からメッセージを受信し、前記メッセージの宛先は前記低電力基地局（３０）の前記ホスト名として識別され、
前記低電力基地局（３０）の前記ホスト名と前記ネットワークアドレスとの間の前記マッピングから、前記低電力基地局（３０）の前記ネットワークアドレスを得て、
前記通信サブシステム（７８）を介して、前記ネットワークアドレスを使用して、前記メッセージを前記低電力基地局（３０）へ送信する
ようにさらに構成されている、請求項１５に記載の基地局間ゲートウェイ（４０）。
【請求項２２】
前記セルラ通信ネットワーク（２４）はロングタームエボリューションセルラ通信ネットワーク（２４）であり、
前記基地局間ゲートウェイ（４０）はＸ２−ＧＷ（４０）であり、
前記高電力基地局（２８）から前記メッセージを受信するために、前記処理サブシステム（８０）は、前記高電力基地局（２８）と前記Ｘ２−ＧＷ（４０）との間の第１のＸ２接続を介して、前記高電力基地局（２８）から前記メッセージを受信するようにさらに構成されており、
前記低電力基地局（３０）へ前記メッセージを送信するために、前記処理サブシステム（８０）は、前記Ｘ２−ＧＷ（４０）と前記低電力基地局（３０）との間の第２のＸ２接続を介して、前記低電力基地局（３０）へ前記メッセージを送信するようにさらに構成されている、
請求項２１に記載の基地局間ゲートウェイ（４０）。
【請求項２３】
セルラ通信ネットワーク（２４）の基地局（２８、３０）のオペレーション方法であって、
前記基地局（２８、３０）のホスト名を決定することと、
前記基地局（２８、３０）のネットワークアドレスを決定することと、
前記基地局（２８、３０）の前記ホスト名、および
前記基地局（２８、３０）の前記ネットワークアドレス
を含む情報を、基地局間ゲートウェイ（４０）へ送信すること
とを含む、方法。
【請求項２４】
前記の基地局（２８、３０）は低電力基地局（３０）である、請求項２３に記載の方法。
【請求項２５】
前記セルラ通信ネットワーク（２４）はロングタームエボリューションセルラ通信ネットワーク（２４）であり、前記基地局間ゲートウェイ（４０）はＸ２−ＧＷ（４０）であり、前記低電力基地局（３０）は、マイクロセルｅＮＢ、ピコセルｅＮＢ、フェムトセルｅＮＢ、およびホームｅＮＢ（３０）から成る群から選択される、請求項２４に記載の方法。
【請求項２６】
前記基地局間ゲートウェイ（４０）へ前記情報を送信することは、前記低電力基地局（３０）から、ストリーム制御伝送プロトコルＩＮＩＴメッセージを介して、前記基地局間ゲートウェイ（４０）へ前記情報を送信することを含む、請求項２５に記載の方法。
【請求項２７】
前記ホスト名を決定することは、前記基地局（２８、３０）の識別情報に基づいて、前記基地局（２８、３０）の完全修飾ドメイン名を決定することを含む、請求項２３に記載の方法。
【請求項２８】
セルラ通信ネットワーク（２４）において使用するための基地局（２８、３０）であって、
前記基地局（２８、３０）によりサービスを受ける１つまたは複数のワイヤレスデバイスを用いて、ワイヤレス通信をもたらすように構成されている無線サブシステムと、
前記基地局（２８、３０）を基地局間ゲートウェイ（４０）に通信可能に結合するように構成されている通信サブシステム（６２、７０）と、
前記基地局（２８、３０）のホスト名を決定し、
前記基地局（２８、３０）のネットワークアドレスを決定し、
前記基地局（２８、３０）の前記ホスト名、および
前記基地局（２８、３０）の前記ネットワークアドレス
を含む情報を、前記通信サブシステム（６２、７０）を介して、前記基地局間ゲートウェイ（４０）へ送信する
ように構成されている、前記通信サブシステム（６２、７０）および前記無線サブシステムに関連する処理サブシステム（６６、７４）と
を含む、基地局（２８、３０）。
【請求項２９】
前記基地局（２８、３０）は低電力基地局（３０）である、請求項２８に記載の基地局（２８、３０）。
【請求項３０】
前記セルラ通信ネットワーク（２４）はロングタームエボリューションセルラ通信ネットワーク（２４）であり、前記基地局間ゲートウェイ（４０）はＸ２−ＧＷ（４０）であり、前記低電力基地局（３０）、マイクロセルｅＮＢ、ピコセルｅＮＢ、フェムトセルｅＮＢ、およびホームｅＮＢ（３０）から成る群から選択される、請求項２９に記載の低電力基地局（３０）。
【請求項３１】
前記基地局間ゲートウェイ（４０）へ前記情報を送信するために、前記処理サブシステム（７４）は、前記低電力基地局（３０）から、ストリーム制御伝送プロトコルＩＮＩＴメッセージを介して、前記基地局間ゲートウェイ（４０）へ前記情報を送信するようにさらに構成されている、請求項３０に記載の低電力基地局（３０）。
【請求項３２】
前記低電力基地局（３０）の前記ホスト名を決定するために、前記処理サブシステム（７４）は完全修飾ドメイン名を決定するようにさらに構成されている、請求項２９に記載の低電力基地局（３０）。
【請求項３３】
セルラ通信ネットワーク（２４）の第１の基地局（２８、３０）のオペレーション方法であって、
第２の基地局（２８、３０）に関連する基地局間ゲートウェイ（４０）のネットワークアドレスを得ることと、
前記ネットワークアドレスを介して、前記基地局間ゲートウェイ（４０）へ接続起動を送信して、前記第２の基地局（２８、３０）への接続を起動することと、
前記基地局間ゲートウェイ（４０）は基地局間ゲートウェイ（４０）であることを示す、前記基地局間ゲートウェイ（４０）からの情報を受信することと
を含む、方法。
【請求項３４】
前記第１の基地局（２８、３０）は高電力基地局（２８）であり、前記第２の基地局（２８、３０）は低電力基地局（３０）である、請求項３３に記載の方法。
【請求項３５】
前記セルラ通信ネットワーク（２４）はロングタームエボリューションセルラ通信ネットワーク（２４）であり、前記基地局間ゲートウェイ（４０）はＸ２−ＧＷ（４０）であり、前記高電力基地局（２８）はｅＮＢ（２８）であり、前記低電力基地局（３０）は、マイクロセルｅＮＢ、ピコセルｅＮＢ、フェムトセルｅＮＢ、およびホームｅＮＢ（３０）から成る群から選択される、請求項３４に記載の方法。
【請求項３６】
前記接続起動を送信することは、前記Ｘ２−ＧＷ（４０）へストリーム制御伝送プロトコルＩＮＩＴメッセージ送信することを含み、
前記Ｘ２−ＧＷ（４０）から情報を受信することは、前記Ｘ２−ＧＷ（４０）はＸ２−ＧＷ（４０）であることを示すエラーコードで、前記Ｘ２−ＧＷ（４０）からストリーム制御伝送プロトコルＥＲＲＯＲメッセージ受信することを含む、
請求項３５に記載の方法。
【請求項３７】
前記低電力基地局（３０）のホスト名を得ること
をさらに含む、請求項３４に記載の方法。
【請求項３８】
前記ホスト名を得ることは、前記低電力基地局（３０）の識別情報に基づいて、前記低電力基地局（３０）の完全修飾ドメイン名を決定することを含む、請求項３７に記載の方法。
【請求項３９】
前記低電力基地局（３０）の前記識別情報は自動隣接関係プロセスにより得られる、請求項３８に記載の方法。
【請求項４０】
前記低電力基地局（３０）のホスト名を使用して、前記低電力基地局（３０）にアドレス指定されている、前記基地局間ゲートウェイ（４０）へのメッセージを送信すること
をさらに含む、請求項３４に記載の方法。
【請求項４１】
前記セルラ通信ネットワーク（２４）はロングタームエボリューションセルラ通信ネットワーク（２４）であり、前記基地局間ゲートウェイ（４０）はＸ２−ＧＷ（４０）であり、さらに、
前記メッセージを送信することは、前記高電力基地局（２８）と前記Ｘ２−ＧＷ（４０）との間のＸ２接続を介して、前記Ｘ２−ＧＷ（４０）へ前記メッセージを送信することを含む、
請求項４０に記載の方法。
【請求項４２】
セルラ通信ネットワーク（２４）の第１の基地局（２８、３０）であって、
前記第１の基地局（２８、３０）によりサービスを受ける１つまたは複数のワイヤレスデバイスとのワイヤレス通信をもたらすように構成されている無線サブシステムと、
前記第１の基地局（２８、３０）を基地局間ゲートウェイ（４０）に通信可能に結合するように構成されている通信サブシステム（６２、７０）と、
第２の基地局（２８、３０）に関連する前記基地局間ゲートウェイ（４０）のネットワークアドレスを得て、
前記通信サブシステム（６２、７０）を介して、前記基地局間ゲートウェイ（４０）へ接続起動を送信して、前記第２の基地局（２８、３０）への接続を起動し、
前記基地局間ゲートウェイ（４０）は基地局間ゲートウェイ（４０）であることを示す、前記基地局間ゲートウェイ（４０）からの情報を受信する
ように構成されている、前記通信サブシステム（６２、７０）および前記無線サブシステムに関連する処理サブシステム（６６、７４）と
を含む、第１の基地局（２８、３０）。
【請求項４３】
前記第１の基地局（２８、３０）は高電力基地局（２８）であり、前記第２の基地局（２８、３０）は低電力基地局（３０）である、請求項４２に記載の第１の基地局（２８、３０）。
【請求項４４】
前記セルラ通信ネットワーク（２４）はロングタームエボリューションセルラ通信ネットワーク（２４）であり、前記基地局間ゲートウェイ（４０）はＸ２−ＧＷ（４０）であり、前記高電力基地局（２８）はｅＮＢ（２８）であり、前記低電力基地局（３０）は、マイクロセルｅＮＢ、ピコセルｅＮＢ、フェムトセルｅＮＢ、およびホームｅＮＢ（３０）から成る群から選択される、請求項４３に記載の高電力基地局（２８）。
【請求項４５】
前記接続起動を送信するために、前記処理サブシステム（６６）は、前記Ｘ２−ＧＷ（４０）へストリーム制御伝送プロトコルＩＮＩＴメッセージを送信するようにさらに構成されており、
前記Ｘ２−ＧＷ（４０）から情報を受信するために、前記処理サブシステム（６６）は、前記Ｘ２−ＧＷ（４０）はＸ２−ＧＷ（４０）であることを示すエラーコードで、前記Ｘ２−ＧＷ（４０）からストリーム制御伝送プロトコルＥＲＲＯＲメッセージを受信するようにさらに構成されている、
請求項４４に記載の高電力基地局（２８）。
【請求項４６】
前記処理サブシステム（６６）は、
前記低電力基地局（３０）のホスト名を得る
ようにさらに構成されている、請求項４３に記載の高電力基地局（２８）。
【請求項４７】
前記ホスト名を得るために、前記処理サブシステム（６６）は、前記低電力基地局（３０）の識別情報に基づいて、前記低電力基地局（３０）の完全修飾ドメイン名を決定するようにさらに構成されている、
請求項４６に記載の高電力基地局（２８）。
【請求項４８】
前記低電力基地局（３０）の前記識別情報は自動隣接関係プロセスにより得られる、請求項４７に記載の高電力基地局（２８）。
【請求項４９】
前記処理サブシステム（６６）は、
前記低電力基地局（３０）の前記ホスト名を使用して、前記低電力基地局（３０）にアドレス指定されている前記通信サブシステム（６２）を介して、前記基地局間ゲートウェイ（４０）へメッセージを送信する
ようにさらに構成されている、請求項４６に記載の高電力基地局（２８）。
【請求項５０】
前記セルラ通信ネットワーク（２４）はロングタームエボリューションセルラ通信ネットワーク（２４）であり、前記基地局間ゲートウェイ（４０）はＸ２−ＧＷ（４０）であり、さらに、
前記Ｘ２−ＧＷ（４０）へ前記メッセージを送信するために、前記処理サブシステム（６６）は、前記高電力基地局（２８）と前記Ｘ２−ＧＷ（４０）との間のＸ２接続を介して、前記Ｘ２−ＧＷ（４０）へ前記メッセージを送信するようにさらに構成されている
請求項４９に記載の高電力基地局（２８）。
【発明の詳細な説明】
【技術分野】
【０００１】
関連出願
本願は２０１２年１１月２日に出願された仮特許出願第６１／７２１，７４５号の利益を主張するものであり、これにより、その開示はその全体が参照により本明細書に援用される。
【０００２】
本開示はセルラ通信ネットワークの基地局間ゲートウェイに関する。
【背景技術】
【０００３】
図１に示されているように、従来のロングタームエボリューション（ＬＴＥ）セルラ通信ネットワーク１０は、複数の発展型／Ｅ−ＵＴＲＡＮノードＢ（ｅＮＢ）１４−１から１４−３（本明細書では総称してｅＮＢ１４および個々にｅＮＢ１４と呼ばれる）を含む無線アクセスネットワーク（ＲＡＮ）１２を含み、これらのノードは、場合によってはユーザ機器デバイス（ＵＥ）（図示せず）として知られている無線デバイスへのワイヤレス無線アクセスをもたらす。ｅＮＢ１４はＸ２接続を介して互いに通信し、Ｓ１接続を介してコアネットワーク１６と通信する。コアネットワーク１６は、１つまたは複数のモビリティ管理エンティティ（ＭＭＥ）１８を含み、これは、とりわけ、ＵＥがＬＴＥセルラ通信ネットワーク１０を通過して移動する際にこれらを追跡することに関与する制御ノードである。また、ＭＭＥ１８は、ＵＥをサービングゲートウェイ（Ｓ−ＧＷ）２０に割り当てることに関与している。Ｓ−ＧＷ２０はユーザデータパケットをルーティングし転送すると同時に、また、ｅＮＢ内ハンドオーバ中のユーザプレーンのためのモビリティアンカとしての、かつＬＴＥと他の第３世代移動体通信システムの標準化プロジェクト（３ＧＰＰ）技術との間でのモビリティのためのアンカとしての役割を果たす。
【０００４】
図２は、ＬＴＥセルラ通信ネットワーク１０のカバレッジを改善しかつ容量を増大するために提案されている、ｅＮＢ１４およびホーム発展型／Ｅ−ＵＴＲＡＮノードＢ（ＨｅＮＢ）２２−１から２２−３（本明細書では総称してＨｅＮＢ２２および個々にＨｅＮＢ２２と呼ばれる）の両方の異種展開を示す。ＬＴＥセルラ通信ネットワーク１０へのＨｅＮＢ２２などの低電力基地局（ＬＰ−ＢＳ）の追加は、従来の同種セルラ通信ネットワークにはない新しい問題を提起する。ｅＮＢ１４と同様に、ＨｅＮＢ２２はＳ１接続を使用して、コアネットワーク１６（図示せず）と通信し、Ｘ２接続を使用して、他のＨｅＮＢ２２およびｅＮＢ１４と通信する。詳細には、基地局間の、詳細にはｅＮＢ１４とＨｅＮＢ２２との間の、Ｘ２通信の管理を改善するシステムおよび方法が必要である。
【発明の概要】
【０００５】
本開示は、セルラ通信ネットワークの基地局間（ＢＳ−ＢＳ）ゲートウェイおよびそのオペレーション方法に関する。一実施形態では、ＢＳ−ＢＳゲートウェイは、第１の基地局のホスト名およびネットワークアドレスを含む、第１の基地局からの情報を受信する。ＢＳ−ＢＳゲートウェイは、次いで、ホスト名とネットワークアドレスとの間のマッピングを記憶する。その後、一実施形態では、ＢＳ−ＢＳゲートウェイは、第１の基地局のホスト名を使用して、第２の基地局がメッセージを第１の基地局にアドレス指定することを可能にする。このようにして、第１の基地局のネットワークアドレスの変更は、メッセージを第１の基地局にアドレス指定する第２の基地局の能力に影響を及ぼさない。いくつかの実施形態では、第１の基地局は、低電力基地局（ＬＰ−ＢＳ）であり、第２の基地局は高電力基地局（ＨＰ−ＢＳ）である。本明細書に用いられている「低電力基地局」および「高電力基地局」は、これらの恒久的な能力、現在の構成、および／または特定の瞬間におけるこれらのオペレーションに基づいて、基地局間を区別するために用いられてもよい。このように、低電力基地局および高電力基地局の両方を含む特定の実施形態では、低電力基地局は、高電力基地局のものと同等のまたは同一のコンポーネントおよび能力を備えたデバイスを表すが、所与の時点における高電力基地局とは単に異なって構成されているかまたは異なる方法でオペレーションしているコンポーネントおよび能力を備えたデバイスを表す可能性がある。
【０００６】
さらなる実施形態では、セルラ通信ネットワークはロングタームエボリューション（ＬＴＥ）セルラ通信ネットワークであり、ＢＳ−ＢＳゲートウェイはＸ２ゲートウェイ（Ｘ２−ＧＷ）である。さらに、一実施形態では、Ｘ２−ＧＷは、ＬＰ−ＢＳ（例えば、ホーム発展型／Ｅ−ＵＴＲＡＮノードＢ（ＨｅＮＢ））から、ストリーム制御伝送プロトコル（ＳＣＴＰ）ＩＮＩＴメッセージを介して、ホスト名およびネットワークアドレスを含む情報を受信する。一実施形態では、ＬＰ−ＢＳのホスト名は、ＬＰ−ＢＳのグローバルｅＮＢ標識（Ｇｌｏｂａｌ  ｅＮＢ  Ｉｄｅｎｔｉｔｙ）から決定された完全修飾ドメイン名（ＦＱＤＮ）である。
【０００７】
一実施形態では、ＢＳ−ＢＳゲートウェイは第１の基地局から接続起動を受信して、第２の基地局への接続を起動する。ＢＳ−ＢＳゲートウェイは、次いで、第１の基地局に、ＢＳ−ＢＳゲートウェイがＢＳ−ＢＳゲートウェイであることを知らせる。さらに、一実施形態では、セルラ通信ネットワークはＬＴＥセルラ通信ネットワークであり、ＢＳ−ＢＳゲートウェイはＸ２−ＧＷである。さらに、一実施形態では、第１の基地局はＨＰ−ＢＳであり、第２の基地局はＬＰ−ＢＳである。
【０００８】
一実施形態では、ＢＳ−ＢＳゲートウェイは、宛先が第２の基地局のホスト名として識別される、第１の基地局からメッセージを受信する。ＢＳ−ＢＳゲートウェイは、次いで、第２の基地局のホスト名と第２の基地局のネットワークアドレスとの間のマッピングから、第２の基地局のネットワークアドレスを得て、第２の基地局のネットワークアドレスを使用して第２の基地局へメッセージを送信する。さらに、一実施形態では、ＢＳ−ＢＳゲートウェイはＸ２−ＧＷである。さらに、一実施形態では、第１の基地局はＨＰ−ＢＳであり、第２の基地局はＬＰ−ＢＳである。
【０００９】
一実施形態では、基地局は自体のホスト名およびネットワークアドレスを決定する。基地局は、次いで、ＢＳ−ＢＳゲートウェイへ、ホスト名およびネットワークアドレスを含む情報を送信する。一実施形態では、セルラ通信ネットワークはＬＴＥセルラ通信ネットワークであり、ＢＳ−ＢＳゲートウェイはＸ２−ＧＷであり、基地局は、ＳＣＴＰ  ＩＮＩＴメッセージを介して、Ｘ２−ＧＷへ、当該基地局のホスト名およびネットワークアドレスを含む情報を送信する。
【００１０】
添付図面と併せて好適な実施形態の以下の詳細な説明を読んだ後、当業者は本開示の範囲を理解し、そのさらなる態様を実現するであろう。
【００１１】
本明細書に組み込まれかつその一部を成す添付図面は、本開示のいくつかの態様を示し、記載と共に本開示の原理を説明するのに役立つ。
【図面の簡単な説明】
【００１２】
【図１】従来のロングタームエボリューション（ＬＴＥ）セルラ通信ネットワークの図である。
【図２】従来の異種ＬＴＥセルラ通信ネットワークの図である。
【図３】本開示の一実施形態による、発展型／Ｅ−ＵＴＲＡＮノードＢ（ｅＮＢ）とホーム発展型／Ｅ−ＵＴＲＡＮノードＢ（ＨｅＮＢ）との間のＸ２接続のためのＸ２ゲートウェイ（Ｘ２−ＧＷ）を含む異種ＬＴＥセルラ通信ネットワークの図である。
【図４】ストリーム制御伝送プロトコル（ＳＣＴＰ）パケットで伝送されるチャンクのフィールド形式の図である。
【図５】ＳＣＴＰパケットで伝送されるチャンクの図であり、［チャンクタイプ（Ｃｈｕｎｋ  Ｔｙｐｅ）］が「エラー（ＥＲＲＯＲ）」に設定されており、［原因コード（Ｃａｕｓｅ  Ｃｏｄｅ）］が「ユーザ起動型アボート（Ｕｓｅｒ  Ｉｎｉｔｉａｔｅｄ  Ａｂｏｒｔ）」に設定されている、図である。
【図６】本開示の一実施形態による、図３の異種ＬＴＥセルラ通信ネットワークのオペレーションの図であり、Ｘ２−ＧＷはＨｅＮＢのホスト名とネットワークアドレスのマッピングを得る、図である。
【図７Ａ】本開示の一実施形態による、ホスト名を生成するのに利用される、発展型ユニバーサル地上波無線アクセスネットワーク（Ｅ−ＵＴＲＡＮ）セルグローバル識別子（ＥＣＧＩ）、Ｅ−ＵＴＲＡＮセル識別子（ＥＣＩ）、および公衆陸上移動ネットワーク（ＰＬＭＮ）ＩＤの構造の図である。
【図７Ｂ】本開示の一実施形態による、ホスト名を生成するのに利用される、ＥＣＧＩ、ＥＣＩ（ここで、ＥＣＩはｅＮＢ  ＩＤである）、およびＰＬＭＮ  ＩＤの構造の図である。
【図８】本開示の一実施形態による、ＨｅＮＢのホスト名を使用して、ｅＮＢとＨｅＮＢとの間でＸ２メッセージをアドレス指定することを可能にする、図３のＸ２−ＧＷのオペレーションの図である。
【図９】本開示の一実施形態による、図３のｅＮＢが自動隣接関係（ＡＮＲ）を介してＨｅＮＢに関する構成情報を受信するプロセス、およびｅＮＢがＸ２−ＧＷを介してＨｅＮＢへのＸ２接続を構築することを可能にするトランスポートネットワーク層（ＴＮＬ）アドレス発見プロセスの図である。
【図１０Ａ】本開示の一実施形態による、図３の異種ＬＴＥセルラ通信ネットワークのオペレーションの図であり、ＨｅＮＢが、Ｘ２−ＧＷを介して、１つまたは複数のｅＮＢに、ＨｅＮＢが使用不可能であることを間接的に通知する、図である。
【図１０Ｂ】本開示の一実施形態による、図３の異種ＬＴＥセルラ通信ネットワークのオペレーションの図であり、ＨｅＮＢが、Ｘ２−ＧＷを介して、１つまたは複数のｅＮＢに、ＨｅＮＢが使用不可能であることを間接的に通知する、図である。
【図１１】本開示の一実施形態による、図３の異種ＬＴＥセルラ通信ネットワークのオペレーションの図であり、Ｘ２−ＧＷは、１つまたは複数のｅＮＢに、Ｘ２−ＧＷにより判定された通りＨｅＮＢが使用不可能であることを直接通知する、図である。
【図１２】本開示の別の実施形態による、１つの基地局が他の基地局にその使用不可能を通知する、異種ＬＴＥセルラ通信ネットワークのオペレーションの図である。
【図１３Ａ】本開示の一実施形態による、図１２の異種ＬＴＥセルラ通信ネットワークのオペレーションの図であり、ＨｅＮＢが１つまたは複数のｅＮＢに、ＨｅＮＢが使用不可能であることを直接通知する、図である。
【図１３Ｂ】本開示の一実施形態による、図１２の異種ＬＴＥセルラ通信ネットワークのオペレーションの図であり、ＨｅＮＢが１つまたは複数のｅＮＢに、ＨｅＮＢが使用不可能であることを直接通知する、図である。
【図１４】本開示の一実施形態による、図３のｅＮＢの１つのブロック図である。
【図１５】本開示の一実施形態による、図３のＨｅＮＢの１つのブロック図である。
【図１６】本開示の一実施形態による、図３のＸ２−ＧＷのブロック図である。
【発明を実施するための形態】
【００１３】
以下に記載されている実施形態は、当業者が実施形態を実施することを可能にするために必要な情報を示し、実施形態を実施する最良の形態を示す。添付図面に照らして以下の記載を読むと、当業者は、本開示のコンセプトを理解し、本明細書では特に検討されていない、これらのコンセプトの応用を認識するであろう。当然のことながら、これらのコンセプトおよび応用は、本開示および添付の特許請求の範囲の範囲内に入る。
【００１４】
本開示は、セルラ通信ネットワークの基地局間（ＢＳ−ＢＳ）通信接続を管理することに関する。以下に記載されている実施形態はロングタームエボリューション（ＬＴＥ）セルラ通信ネットワークためのものであるが、本開示はこれに限定されない。本明細書に開示されているコンセプトは、任意の適切なタイプのセルラ通信ネットワークに適用可能である。したがって、時としてＬＴＥ専門用語が本明細書に用いられているが、そのような専門用語は、本開示の範囲を限定していると見なされるべきではない。さらに、本明細書に用いられている通り、用語ＬＴＥは、ＬＴＥおよびＬＴＥアドバンスト（ＬＴＥ  Ａｄｖａｎｃｅｄ）の両方を包含する。
【００１５】
本開示の種々の実施形態を記載する前に、図２に示されている従来のＬＴＥセルラ通信ネットワーク１０の異種展開におけるＸ２接続管理に関連するいくつかの特定の問題の検討が有益である。図２に示されている通り、従来のＬＴＥセルラ通信ネットワーク１０の異種展開は、発展型／Ｅ−ＵＴＲＡＮノードＢ（ｅＮＢ）１４と、従来のＬＴＥセルラ通信ネットワーク１０のカバレッジ領域を拡大しかつ容量を増大するために使用されるホーム発展型／Ｅ−ＵＴＲＡＮノードＢ（ＨｅＮＢ）２２とを含む。従来のＬＴＥセルラ通信ネットワーク１０へのＨｅＮＢ２２の追加は、従来の同種セルラ通信ネットワークにはない新しい問題を提起する。
【００１６】
１つのそのような問題は、ＨｅＮＢ２２に必要とされる追加のＸ２接続に起因する。追加のＸ２接続の結果として、Ｘ２接続を管理するのに必要とされる、ｅＮＢ１４におけるリソースの顕著な増大がある。より具体的には、無線アクセスネットワーク（ＲＡＮ）１２の効果的な管理のために、各ｅＮＢ１４が、そのネイバの全てとのＸ２接続を有することが望ましく、この場合、ネイバの全ては、隣接するｅＮＢ１４および隣接するＨｅＮＢ２２を含む。Ｘ２接続の数の増大は、これらの通信接続を生成し、維持するために必要なリソース量を増大させる。
【００１７】
別の問題が、殆どのｅＮＢ１４は確実でありかつ高アップタイムを有するように設計されているが、ＨｅＮＢ２２は頻繁にパワーダウンする可能性があることである。ＨｅＮＢ２２のパワーダウンは、隣接するｅＮＢ１４および隣接するＨｅＮＢ２２へのＸ２接続を遮断する。これは、隣接するｅＮＢ１４および隣接するＨｅＮＢ２２がＸ２接続を再構築しようとする際にさらなるリソースが費やされることに繋がる可能性があり、それにより、ＲＡＮ１２の効率性を損なう可能性がある。さらに、特に、さもなければＬＴＥセルラ通信ネットワーク１０の一部ではないバックホールネットワーク（例えば、ホームブロードバンド接続）を使用する可能性があるＨｅＮＢ２２に関して、時としてトランスポートネットワーク層（ＴＮＬ）アドレスと呼ばれるネットワークアドレスは、パワーダウン後にオンラインに復帰すると異なっている可能性がある。これは、ＨｅＮＢ２２がオンラインに復帰した後に隣接するｅＮＢ１４および隣接するＨｅＮＢ２２がＸ２接続を再構築することをより困難にし、これにより、やはりＲＡＮ１２の効率性が損なわれる可能性がある。
【００１８】
従来のＬＴＥセルラ通信ネットワーク１０における前述の問題に対処するシステムおよび方法が、本明細書に開示されている。この関連で、図３は、本開示の一実施形態による、異種ＬＴＥセルラ通信ネットワーク２４を示す。異種ＬＴＥセルラ通信ネットワーク２４は、ＬＴＥではユーザ機器デバイス（ＵＥ）（図示せず）と呼ばれる１つまたは複数の無線デバイスのためのワイヤレス無線アクセスをもたらすｅＮＢ２８−１から２８−３（本明細書では総称してｅＮＢ２８および個々にｅＮＢ２８と呼ばれる）を含むＲＡＮ２６を含む。また、ＲＡＮ２６は、やはり１つまたは複数のＵＥへのワイヤレス無線アクセスをもたらすＨｅＮＢ３０−１から３０−３（本明細書では総称してＨｅＮＢ３０および個々にＨｅＮＢ３０と呼ばれる）を含む。ＨｅＮＢ３０が、本明細書に開示されているコンセプトの例としてのみ使用されていることを覚えておくことが重要であるが、本明細書に開示されているコンセプトは、任意のタイプ（単数または複数）の低電力基地局（ＬＰ−ＢＳ）（例えば、フェムトセル、ピコセル、マイクロセル等のためのＬＰ−ＢＳ）に等しく適用可能である。これらのＬＰ−ＢＳは、一般に、ｅＮＢ２８などの高電力基地局（ＨＰ−ＢＳ）より小さい領域に役立つ。例えば、ＨｅＮＢ３０などのいくつかのＬＰ−ＢＳは、個人住宅または中小企業において展開される。
【００１９】
ｅＮＢ２８およびＨｅＮＢ３０は、Ｘ２接続を介して互いに通信する。本明細書に開示されている実施形態の多くは、ＨＰ−ＢＳとＬＰ−ＢＳとの間のＢＳ−ＢＳ通信（例えば、Ｘ２通信）に焦点を合わせているが、本明細書に開示されているコンセプトはまた、同じタイプの基地局間の（例えば、２つのＨＰ−ＢＳ間のまたは２つのＬＰ−ＢＳ間の）ＢＳ−ＢＳ通信に適用可能であることに留意されたい。Ｘ２接続によるＢＳ−ＢＳ通信は、例えば、接続ハンドオーバを調整しかつｅＮＢ２８とＨｅＮＢ３０との間の負荷管理を実施するのに使用される。ＬＴＥでは、（ＬＴＥでは本明細書においてＸ２通信とも呼ばれる）これらのＢＳ−ＢＳ通信は、ストリーム制御伝送プロトコル（ＳＣＴＰ）を制御メッセージのためのトランスポート層として使用して、インターネットプロトコル（ＩＰ）ネットワークにより送信される。
【００２０】
ｅＮＢ２８は、対応するＳ１接続を介して異種ＬＴＥセルラ通信ネットワーク２４のコアネットワーク３２と通信する。同様に、図示されていないが、ＨｅＮＢ３０もまた、対応するＳ１接続を介してコアネットワーク３２と通信する。ＬＴＥでは、また、Ｓ１制御メッセージは、ＳＣＴＰをトランスポート層として使用して、ＩＰネットワークにより送信される。コアネットワーク３２は、１つまたは複数のモビリティ管理エンティティ（ＭＭＥ）３４と１つまたは複数のサービングゲートウェイ（Ｓ−ＧＷ）３６とを含む。ＭＭＥ３４は、とりわけ、ＵＥが異種ＬＴＥセルラ通信ネットワーク２４を通過して移動する際にＵＥを追跡することに関与する、異種ＬＴＥセルラ通信ネットワーク２４のための制御ノードである。また、ＭＭＥ３４は、ＵＥをＳ−ＧＷ３６に割り当てることに関与している。Ｓ−ＧＷ３６は、とりわけ、ユーザデータパケットをルーティングし転送するようにオペレーションし、同時にまた、基地局内ハンドオーバ中にユーザプレーンのためのモビリティアンカとしての、かつＬＴＥと他の第３世代移動体通信システムの標準化プロジェクト（３ＧＰＰ）技術との間でのモビリティのためのアンカとしての役割を果たす。
【００２１】
また、異種ＬＴＥセルラ通信ネットワーク２４は、ｅＮＢ２８とＨｅＮＢ３０との間のＸ２接続のためのＸ２ゲートウェイ（Ｘ２−ＧＷ）４０を含む。本特定の実施形態では、ｅＮＢ２８−２とＨｅＮＢ３０との間のＸ２接続はＸ２−ＧＷ４０を介して設けられている。同様に、ｅＮＢ２８−３とＨｅＮＢ３０との間のＸ２接続はＸ２−ＧＷ４０を介して設けられている。セキュリティ上の理由で、Ｘ２接続によるトラフィックが、全てのＩＰパケットを認証し、暗号化するＩＰセキュリティ（ＩＰｓｅｃ）トンネルを使用して暗号化されることが好ましい。Ｘ２−ＧＷ４０が信頼済みサイトに配置さていると考えられる場合、Ｘ２−ＧＷ４０は、例えば、ｅＮＢ２８−２とＸ２−ＧＷ４０との間の１つのＩＰｓｅｃトンネル、およびＸ２−ＧＷ４０と各ＨｅＮＢ３０−１から３０−３との間の１つのＩＰｓｅｃトンネルを有していてもよい。一実施形態によれば、これは、必要に応じてパケットを復号し、再暗号化するために、Ｘ２−ＧＷ４０がＩＰパケットと相互作用することができることを意味する。ＨｅＮＢ３０の各々のための各Ｘ２接続のための別個のＳＣＴＰトランスポート層接続の代わりに、ｅＮＢ２８−２および２８−３の各々がＸ２−ＧＷ４０へのＳＣＴＰトランスポート層接続を１つだけ維持するため、Ｘ２−ＧＷ４０はｅＮＢ２８−２および２８−３に有益である。
【００２２】
以下に詳細に検討されている通り、一実施形態では、Ｘ２−ＧＷ４０は、ＨｅＮＢ３０のホスト名とネットワークアドレスとの間のマッピングを生成する。しかし、Ｘ２−ＧＷ４０は、ｅＮＢ２８のホスト名とネットワークアドレスとの間のマッピングを生成するために付加的にまたは代替的に使用されてもよいことに留意すべきである。マッピングを使用して、Ｘ２−ＧＷ４０では、ＨｅＮＢ３０のホスト名でアドレス指定されたＸ２メッセージを、ｅＮＢ２８−２および２８−３から適切なＨｅＮＢ３０へルーティングすることが可能になる。とりわけ、これは、パワーダウン後のオンライン復帰時にｅＮＢ２８またはＨｅＮＢ３０が異なるネットワークアドレスに割り当てられた場合を含めて、ｅＮＢ２８またはＨｅＮＢ３０のいずれかのネットワークアドレスが何らかの理由で変更する場合、ｅＮＢ２８とＨｅＮＢ３０との間のより速いＸ２接続の再構築を可能にし得る。これは１つの好適な実施形態の利益に過ぎず、本開示をこれに限定しない。
【００２３】
ホスト名でアドレス指定されたメッセージをルーティングすることに加えて、Ｘ２−ＧＷ４０は、所望のＨｅＮＢ３０のホスト名に基づいて、所望のＨｅＮＢ３０のネットワークアドレスに関して、ｅＮＢ２８および／またはＨｅＮＢ３０がＸ２−ＧＷ４０にクエリを行うことを可能にする。具体的には、ｅＮＢ２８またはＨｅＮＢ３０が、Ｘ２−ＧＷ４０にホスト名でクエリを行うことができる。Ｘ２−ＧＷ４０は、次いで、対応するネットワークアドレスを検索し、当該ネットワークアドレスを、クエリを発行したｅＮＢ２８またはＨｅＮＢ３０へ戻す。
【００２４】
特に、Ｘ２−ＧＷ４０は前述の機能に限定されない。例えば、以下に詳細に検討されている通り、一実施形態では、Ｘ２−ＧＷ４０はまた、ｅＮＢ２８および／またはＨｅＮＢ３０に、これらがＸ２接続により接続されているｅＮＢ２８またはＨｅＮＢ３０が使用不可能であることを通知することができる。これにより、使用不可能であるｅＮＢ２８またはＨｅＮＢ３０とのＸ２接続を再構築しようとしてリソースが費やされることが低減される。
【００２５】
本開示の実施形態をさらに検討する前に、Ｘ２接続に使用されているＳＣＴＰプロトコルを簡単に見直すことが有益である。ＳＣＴＰは、コメント要求（ＲＦＣ：Ｒｅｑｕｅｓｔ  ｆｏｒ  Ｃｏｍｍｅｎｔｓ）４９６０に定義されている。ＳＣＴＰは、ＩＰネットワークによるシグナリング輸送のために設計されている。ＳＣＴＰは接続型であり、エンドポイント間のシグナリング手段を提供する。ＳＣＴＰパケットが、２つの部分（１）発信元情報および宛先情報を含む共通ヘッダ、および（２）１つまたは複数のチャンク、で作成されている。チャンクは制御情報またはユーザデータのどちらかを含む。本明細書に開示され、特許請求されているコンセプトを理解するために必須ではないが、ＳＣＴＰに関するさらなる情報を求めて、関心のある読者は、ＲＦＣ４９６０、２００７年９月に発行された「ストリーム制御伝送プロトコル」を参照されたい。
【００２６】
図４は、ＳＣＴＰパケット内のＳＣＴＰチャンク４２のフィールド形式を示す。ＳＣＴＰチャンク４２は、［チャンクタイプ（Ｃｈｕｎｋ  Ｔｙｐｅ）］フィールド４４と、［チャンクフラグ（Ｃｈｕｎｋ  Ｆｌａｇｓ）］フィールド４６と、［チャンク長（Ｃｈｕｎｋ  Ｌｅｎｇｔｈ）］フィールド４８と、［チャンク値（Ｃｈｕｎｋ  Ｖａｌｕｅ）］フィールド５０とを含む。［チャンクタイプ］フィールド４４はＳＣＴＰチャンク４２のチャンクタイプを含み、チャンクタイプは、［チャンク値］フィールド５０内に含まれる情報タイプを識別し、０と２５４の間の値を取る。２５５の値は、将来の使用のために拡張フィールドとして予約される。ＲＦＣ４９６０は、以下の表１に示されているチャンクタイプを定義している。
【００２７】
2015533465.tif 000003
【００２８】
ＩＮＩＴチャンクタイプのチャンクを含むＳＣＴＰパケットが使用されて、２つのエンドポイント間に接続を構築する。ＩＮＩＴチャンクは、いくつかの入力必須フィールドといくつかの変数フィールドとを含む。変数フィールドは以下の表２に示されている。
【００２９】
2015533465.tif 000004
【００３０】
より詳細には、［ＩＰｖ４アドレス（ＩＰｖ４  Ａｄｒｅｓｓ）］フィールドは３２ビット（符号なし整数）であり、送信側エンドポイントのＩＰｖ４アドレスを含む。これは２進コード化されている。［ＩＰｖ４アドレス］パラメータはネットワークアドレスを示し、ＩＮＩＴチャンクの送信側エンドポイントは、起動されている接続のためにサポートする。［ＩＰｖ６アドレス（ＩＰｖ６  Ａｄｒｅｓｓ）］フィールドは１２８ビット（符号なし整数）であり、送信側エンドポイントのＩＰｖ６（ＲＦＣ２４６０）アドレスを含む。これは２進コード化されている。［ＩＰｖ６アドレス］パラメータはネットワークアドレスを示し、ＩＮＩＴチャンクの送信側エンドポイントは、起動されている接続のためにサポートする。［ホスト名アドレス（Ｈｏｓｔ  Ｎａｍｅ  Ａｄｒｅｓｓ）］フィールドは、ＩＮＩＴチャンクの送信側エンドポイントにより使用されて、（そのＩＰアドレスの代わりに）そのホスト名を受信側エンドポイントへ渡すことができる。受信側エンドポイントは、ホスト名を解決することに関与している。
【００３１】
ＩＮＩＴ  ＡＣＫチャンクタイプは、ＳＣＴＰ接続（すなわちＳＣＴＰ関連付け）の起動を肯定応答するために使用される。ＡＢＯＲＴチャンクタイプは、接続を即時に閉じるかまたは終了するために使用される。ＡＢＯＲＴチャンクは、受信側エンドポイントにアボートの原因を知らせる原因パラメータ（Ｃａｕｓｅ  Ｐａｒａｍｅｔｅｒ）を含んでいてもよい。原因の記載は、ＥＲＲＯＲチャンクタイプに関して以下に示されている。ＳＨＵＴＤＯＷＮチャンクタイプは、受信側エンドポイントとの接続のグレースフルクローズを開始するように、送信される。ＡＢＯＲＴチャンクタイプと対照的に、ＳＨＵＴＤＯＷＮチャンクタイプは、接続が終了される間に、任意のバッファが空にされかつ他の制御メッセージが処理されることを可能にする。
【００３２】
ＥＲＲＯＲチャンクタイプは、送信側エンドポイントのピア（すなわち、受信側エンドポイント）に、あるエラー状態を通知するために使用される。ＥＲＲＯＲチャンクは１つまたは複数の原因を含む。ＥＲＲＯＲチャンクはこれ自体内のまたはこれ自体の接続に致命的であるとは考えられないが、ＡＢＯＲＴチャンクと共に使用されて、致命的状態を報告してもよい。ＥＲＲＯＲチャンクの［原因コード］は、報告されているエラー状態のタイプを定義している。定義された［原因コード］は以下の表３に示されている。
【００３３】
2015533465.tif 000005
【００３４】
図５はＳＣＴＰチャンク４２の一例を示し、ＳＣＴＰチャンク４２は、より具体的にはＥＲＲＯＲチャンク５２である。図示の通り、［チャンク値］フィールド５０は、［原因コード］フィールド５４と、［原因長］フィールド５６と、［上位層アボート原因（Ｕｐｐｅｒ  Ｌａｙｅｒ  Ａｂｏｒｔ  Ｒｅａｓｏｎ）］フィールド５８とを含む。本特定の実施形態では、［原因コード］フィールド５４は、「ユーザ起動型アボート」である「１２」に設定されている。「ユーザ起動型アボート」［原因コード］は、上位層要求に因り、ＥＲＲＯＲチャンク５２が送信されたことを示す。上位層は、［上位層アボート原因］フィールド５８のＳＣＴＰにより透過的にトランスポートされる［上位層アボート原因］を特定することができる。［上位層アボート原因］は、受信側エンドポイントにおいて上位層に送達される。
【００３５】
図６は、本開示の一実施形態による、図３の異種ＬＴＥセルラ通信ネットワーク２４のオペレーションを示し、Ｘ２−ＧＷ４０はＨｅＮＢ３０のホスト名とネットワークアドレスのマッピングを得る。ＨｅＮＢ３０−１から３０−３は、最初に、これら自体のホスト名およびネットワークアドレスを決定する（ステップ１００−１から１００−３）。ＨｅＮＢ３０のネットワークアドレスは、一実施形態では、任意の適切な技術を用いてＨｅＮＢ３０により得られるかまたは別の方法で決定される、ＨｅＮＢ３０のＩＰアドレスである。一実施形態では、ＨｅＮＢ３０のホスト名はＨｅＮＢ３０の完全修飾ドメイン名（ＦＱＤＮ）であり、これは、一実施形態では、ＨｅＮＢ３０の発展型ユニバーサル地上波無線アクセスネットワーク（Ｅ−ＵＴＲＡＮ）セルグローバル識別子（ＥＣＧＩ）を使用してＨｅＮＢ３０により決定され得る。より具体的には、図７Ａおよび図７Ｂは、ＥＣＧＩのコンポーネントを示す。ＥＣＧＩは、公衆陸上移動ネットワーク（ＰＬＭＮ）ＩＤとＥ−ＵＴＲＡＮセル識別子（ＥＣＩ）との連結である。さらに、ＰＬＭＮは、モバイルネットワークが位置を特定される国を識別する運用地域識別コード（ＭＣＣ）と、ネットワークオペレータを識別する電気通信事業者識別コード（ＭＮＣ）との連結である。さらに、図７Ａに示されているＥＣＩは、移動体ネットワークにおける基地局を一意的に識別するｅＮＢ  ＩＤ（２０ビット）と、当該基地局によりサービスを受ける特定のセルを識別するセルＩＤ（８ビット）との連結である。ＨｅＮＢ３０およびいくつかの他のＬＰ−ＢＳの場合、図７Ｂに示されている通り、ＥＣＩ（２８ビット）の桁全てが一意の基地局の識別に充てられるように、基地局は１つのセルのみを有する。
【００３６】
図６に戻って、一実施形態によれば、ＨｅＮＢ３０は、以下の文字列：
ｈｅｎｂＩＤ＜ＥＮＢＩＤ＞．ｍｎｃ＜ＭＮＣ＞．ｍｃｃ＜ＭＣＣ＞．３ｇｐｐｎｅｔｗｏｒｋ．ｏｒｇ
に基づいて、ＨｅＮＢ３０のＦＱＤＮを決定し、ここで、＜ＥＮＢＩＤ＞、＜ＭＮＣ＞、および＜ＭＣＣ＞は、ＨｅＮＢ３０のＥＮＢＩＤ、ＭＮＣ、およびＭＣＣの値と置き換えられる。ＦＱＤＮは、次いで、ＨｅＮＢ３０のホスト名として使用される。他の実施形態では、トラッキングエリアコード（ＴＡＣ）、トラッキングエリア標識（ＴＡＩ）、および限定加入者グループ（ＣＳＧ）ＩＤなどの値の組合せが使用されて、ホスト名を生成する。これは単に一実施形態であることに留意されたい。ＦＱＤＮは、任意の適切な式または手段を使用して決定されてもよい。さらに、ホスト名は、ＨｅＮＢ３０のＦＱＤＮに限定されない。任意のタイプの適切なホスト名が使用され得る。
【００３７】
ＨｅＮＢ３０−１から３０−３は、次いで、ＨｅＮＢ３０−１から３０−３のホスト名およびネットワークアドレスの両方を含むＳＣＴＰ  ＩＮＩＴメッセージを、Ｘ２−ＧＷ４０へ送信する（ステップ１０２−１から１０２−３）。一実施形態では、Ｘ２−ＧＷ４０のネットワークアドレスを決定するために、ＨｅＮＢ３０は、以下の文字列：ｘ２ｇｗ．ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｍｎｃ＜ＭＮＣ＞．ｍｃｃ＜ＭＣＣ＞．３ｇｐｐｎｅｔｗｏｒｋ．ｏｒｇに基づいてＸ２−ＧＷ４０のＦＱＤＮを決定する。ＨｅＮＢ３０は、次いで、ＦＱＤＮを使用してドメイン名システム（ＤＮＳ）にクエリを行い、Ｘ２−ＧＷ４０のネットワークアドレスを得る。より具体的には、ＨｅＮＢ３０−１を例として使用して、ＨｅＮＢ３０−１は、ＩＮＩＴチャンクを含むＳＣＴＰメッセージ（このＳＣＴＰメッセージは本明細書ではＳＣＴＰ  ＩＮＩＴメッセージと呼ばれる）を、Ｘ２−ＧＷ４０へ送信し、ＩＮＩＴチャンクは、ＩＮＩＴチャンクの対応するパラメータフィールド内にＨｅＮＢ３０−１のホスト名を含む。また、ＨｅＮＢ３０−１のネットワークアドレスは、ＩＮＩＴチャンクの対応するパラメータフィールド内に含まれることが可能であるか、または、あるいは、例えばＩＰパケットヘッダ内の送信者アドレスにより決定されてもよい。このようにして、本開示の一実施形態によれば、ＨｅＮＢ３０は、ＨｅＮＢ３０のホスト名およびネットワークアドレスを含む情報を、ＳＣＴＰ  ＩＮＩＴメッセージを介して、Ｘ２−ＧＷ４０へ送信する。ＳＣＴＰ  ＩＮＩＴメッセージは単に１つの好適な実施形態であることに留意されたい。ＨｅＮＢ３０は、ホスト名とネットワークアドレスとを含む情報を、任意の適切なメッセージまたはメッセージタイプを使用して、Ｘ２−ＧＷ４０へ送信してもよい。
【００３８】
ＨｅＮＢ３０−１から３０−３からのＳＣＴＰ  ＩＮＩＴメッセージの受信時、Ｘ２−ＧＷ４０は、ＨｅＮＢ３０のホスト名とネットワークアドレスとの間の対応するマッピングを記憶する（ステップ１０４−１から１０４−３）。このようにして、Ｘ２−ＧＷ４０は、ＨｅＮＢ３０のホスト名とネットワークアドレスとの間のマッピングを生成する。本開示の一実施形態によれば、新しいＨｅＮＢ３０がオンラインにもたらされるかまたはＸ２−ＧＷ４０とのＸ２接続を起動すると、新しいマッピングが構築される。さらに、一実施形態では、また、マッピングは、ＨｅＮＢ３０がこれらのネットワークアドレスおよび／またはホスト名を変更した時に更新されてもよい。
【００３９】
図８は、本開示の一実施形態による、図３のＸ２−ＧＷ４０のオペレーションを示し、Ｘ２−ＧＷ４０は、ＨｅＮＢ３０のホスト名を使用して、ｅＮＢ２８とＨｅＮＢ３０との間のＸ２メッセージのアドレス指定を可能にする。ｅＮＢ２８は、最初に、ＨｅＮＢ３０のネットワークアドレスと、当該ＨｅＮＢ３０に関連するＸ２−ＧＷ４０のネットワークアドレスとを得る（ステップ２００）。本開示の一実施形態によれば、ステップ２００は、図９の自動隣接関係（ＡＮＲ）および（後述される）ＴＮＬアドレス発見プロセスであるが、本開示はこれに限定されない。次に、ｅＮＢ２８は、Ｘ２−ＧＷ４０へＳＣＴＰ  ＩＮＩＴメッセージを送信することによりＸ２接続を起動する（ステップ２０２）。特に、Ｘ２接続の起動時、本実施形態では、ｅＮＢ２８は、Ｘ２−ＧＷ４０が実際にＸ２−ＧＷであることを知らない。むしろ、ｅＮＢ２８は、Ｘ２−ＧＷ４０のために得られたネットワークアドレスが、セキュリティゲートウェイ（ＳｅＧＷ）などのゲートウェイのネットワークアドレスであることに気付いているだけである可能性がある。いくつかの実施形態では、Ｘ２−ＧＷ４０およびＸ２−ＧＷの機能性は、単一のゲートウェイに組み合わせることが可能である。他の実施形態では、Ｘ２−ＧＷ４０とＸ２−ＧＷとは別々に実装される。この透過性は、ｅＮＢ２８がＸ２−ＧＷ４０の存在により影響を受けないようになる手続きを可能にする。ｅＮＢ２８がＸ２−ＧＷ４０の特徴を活用する方法を知らない場合、レガシー手続きは依然としてオペレーション可能である。これは１つの好適な実施形態の利益に過ぎず、本開示をこれに限定しない。
【００４０】
Ｘ２−ＧＷ４０は、次いで、ＳＣＴＰメッセージをｅＮＢ２８へ返信して、ｅＮＢ２８に、Ｘ２−ＧＷ４０がＸ２−ＧＷ４０であることを知らせる（ステップ２０４）。一実施形態では、このＳＣＴＰメッセージは、Ｘ２−ＧＷ４０がＸ２−ＧＷであることを示す［上位層アボート原因］と共に［ユーザ起動型アボート原因コード］を含むＳＣＴＰ  ＥＲＲＯＲメッセージ（すなわち、ＥＲＲＯＲチャンクを含むＳＣＴＰメッセージ）である。ｅＮＢ２８にＸ２−ＧＷ４０がＸ２−ＧＷであることを知らせることにより、ｅＮＢ２８は、Ｘ２−ＧＷ４０の機能性を活用する（例えば、適切なホスト名によりアドレス指定されたＸ２−ＧＷ４０を介してＸ２メッセージを送信する）ことが可能になる。
【００４１】
本実施形態では、ｅＮＢ２８は、次いで、ＨｅＮＢ３０のホスト名を使用して、ＨｅＮＢ３０にアドレス指定されたメッセージを送信する（ステップ２０６）。Ｘ２−ＧＷ４０は、ＨｅＮＢ３０のホスト名とネットワークアドレスとの間のマッピングから、ＨｅＮＢ３０のネットワークアドレスを得る（ステップ２０８）。このようにして、Ｘ２−ＧＷ４０は、ＨｅＮＢ３０のホスト名をＨｅＮＢ３０のネットワークアドレスに翻訳する、または解決する。Ｘ２−ＧＷ４０は、次いで、ＨｅＮＢ３０のネットワークアドレスを使用して、ＨｅＮＢ３０へメッセージを転送する（ステップ２１０）。このようにＨｅＮＢ３０のホスト名を使用して、ｅＮＢ２８がメッセージをＨｅＮＢ３０にアドレス指定することを可能にすることが、多くの利点をもたらす。任意の特定の利点に限定されないかまたは任意の特定の利点により制限されないと同時に、一例として、ＨｅＮＢ３０のネットワークアドレスの変更が、メッセージをＨｅＮＢ３０にアドレス指定するｅＮＢ２８の能力に影響を及ぼさない。例えば、ＨｅＮＢ３０がさもなければＬＴＥセルラ通信ネットワーク１０の一部ではないバックホールネットワーク（例えば、ホームブロードバンド接続）を使用する可能性が高いため、かつＨｅＮＢ３０のネットワークアドレスは変更する可能性があるため、このことは有用である。ｅＮＢ２８はＭＭＥ３４または何らかの他のコアネットワーク３２の要素を介してクエリを行ってＨｅＮＢ３０の新しいネットワークアドレスを決定するのに必要とされないので、ＨｅＮＢ３０のホスト名を使用して、ｅＮＢ２８がメッセージをＨｅＮＢ３０にアドレス指定することを可能にすることが、時間を短縮し、ｅＮＢ２８とＨｅＮＢ３０との間の接続を再構築するのに必要とされるリソースを減少させる。
【００４２】
図９は、本開示の一実施形態による、図３のｅＮＢ２８がＡＮＲおよびＴＮＬアドレス発見プロセスを介してＨｅＮＢ３０に関する構成情報を受信するプロセスを示し、構成情報は、ｅＮＢ２８がＸ２−ＧＷ４０を介してＨｅＮＢ３０へのＸ２接続を構築することを可能にする。ＵＥ６０は、最初に、ＨｅＮＢ３０の物理セルＩＤ（ＰＣＩ）を検出する（ステップ３００）。ＵＥ６０は、次いで、ＨｅＮＢ３０の信号測定が１つまたは複数の所定の報告基準を満たすかどうかを判定する（ステップ３０２）。本開示の一実施形態によれば、報告基準は信号強度を含み得る。報告基準が満たされた場合、ＵＥ６０は、ＵＥ６０が既に関連付けられているｅＮＢ２８へ測定報告を送信する（ステップ３０４）。
【００４３】
ｅＮＢ２８は測定報告を分析して、当該測定報告がｅＮＢ２８にとって未知で、かつネイバになる対象である発信元に関連付けられているかどうかどうかを判定する。本プロセスは、３ＧＰＰにより採用された多数のうちの１つであり、計画的された自己組織ネットワーク（ＳＯＮ）に向けて努力するＬＴＥのスタンダードにおいて実施される。ｅＮＢ２８が、ＨｅＮＢ３０に関する追加情報が必要と判定した（ステップ３０６）場合、ｅＮＢ２８は、ＵＥ６０からのＨｅＮＢ３０に関する追加情報を要求する（ステップ３０８）。ｅＮＢ２８により要求された追加情報は、ＨｅＮＢ３０によるシステム情報ブロードキャストの１つもしくは複数の所望のまたは関連する部分を含んでいてもよい。例として、ｅＮＢ２８は、ＨｅＮＢ３０のＥＣＧＩを要求してもよい。ＵＥは、次いで、ＨｅＮＢ３０から追加情報を得て（ステップ３１０）、ｅＮＢ２８に追加情報を報告する（ステップ３１２）。
【００４４】
ｅＮＢ２８は、次いで、ＨｅＮＢ３０のＥＣＧＩなどのこの情報を使用して、ＭＭＥ３４またはコアネットワーク３２の他の要素を介してクエリを行い、ＨｅＮＢ３０の構成情報を要求する（ステップ３１４）。ＭＭＥ３４は、次いで、ＨｅＮＢ３０にクエリを行い、ＨｅＮＢ３０の構成情報を要求する（ステップ３１６）。ＨｅＮＢ３０は、次いで、ＨｅＮＢ３０のネットワークアドレスおよびＨｅＮＢ３０に関連するＸ２−ＧＷ４０のネットワークアドレスを含む、ＨｅＮＢ３０の構成情報を、ＭＭＥ３４に送信する（ステップ３１８）。ＭＭＥ３４は、ＨｅＮＢ３０のネットワークアドレスおよびＨｅＮＢ３０に関連するＸ２−ＧＷ４０のネットワークアドレスを含む、ＨｅＮＢ３０の構成情報を、ｅＮＢ２８に送信する（ステップ３２０）。一実施形態では、Ｘ２−ＧＷ４０は構成情報においてそのようなものとして識別されない。また、一実施形態では、ネットワークアドレスはＩＰアドレスであるが、本開示はこれに限定されない。
【００４５】
ｅＮＢ２８が確実であるようにかつように高アップタイムを有するように設計されている一方、依然として、ｅＮＢ２８が使用不可能である時間がある可能性がある。これは、例えば、予期せぬ状況または予定されたメンテナンスに起因すると考えられる。ＨｅＮＢ３０の可能性のあるモジュール性およびより個別的な側面に因り、いくつかの実施形態では、ＨｅＮＢ３０は、ｅＮＢ２８より頻繁にパワーダウンされる可能性があるか、または別の方法で使用不可能になる可能性がある。ｅＮＢ２８またはＨｅＮＢ３０のこの使用不可能は、とりわけ、ＲＡＮ２６の効率性に悪影響を及ぼす可能性がある。一実施形態によれば、ｅＮＢ２８またはＨｅＮＢ３０が、ｅＮＢ２８またはＨｅＮＢ３０が使用不可能な状態に移行していると判定した場合、ｅＮＢ２８またはＨｅＮＢ３０は１つまたは複数の無線ネットワークノードに、ｅＮＢ２８またはＨｅＮＢ３０の使用不可能を通知する。本明細書に用いられている無線ネットワークノードは（ｅＮＢ２８およびＨｅＮＢ３０などの）基地局、（Ｘ２−ＧＷ４０などの）ＢＳ−ＢＳゲートウェイ、または無線アクセスネットワーク内の任意の他のノードを指す可能性がある。この通知は、とりわけ、ｅＮＢ２８またはＨｅＮＢ３０（またはＸ２−ＧＷ４０）と現在使用不可能なｅＮＢ２８またはＨｅＮＢ３０との間のＸ２接続を再構築する試行を減少させる。これは１つの好適な実施形態の利益に過ぎず、本開示をこれに限定しない。
【００４６】
この関連で、図１０Ａおよび図１０Ｂは、本開示の一実施形態による、図３の異種ＬＴＥセルラ通信ネットワーク２４のオペレーションを示し、ＨｅＮＢ３０は、１つまたは複数のｅＮＢ２８に、Ｘ２−ＧＷ４０を介して、ＨｅＮＢ３０が使用不可能であることを間接的に通知する。図１０Ａは、ＨｅＮＢ３０が使用可能であることをｅＮＢ２８が通知されるまで、ｅＮＢ２８がＨｅＮＢ３０との通信試行を中止するシナリオを示す。逆に、図１０Ｂは、ｅＮＢ２８が特定の時間の間ＨｅＮＢ３０との通信試行を中止するシナリオを示す。別の実施形態では、ｅＮＢ２８は、ＨｅＮＢ３０が使用可能であることを示す、ＵＥからの情報をｅＮＢ２８が受信するまで、ＨｅＮＢ３０との通信試行を中止する。これは、例えば図９に関して記載されているＡＮＲプロセスの一部として起こる可能性があると考えられる。
【００４７】
図１０Ａでは、最初に、ＨｅＮＢ３０が、ＨｅＮＢ３０が使用不可能な状態に移行していると判定する（ステップ４００）。この判定は、ＨｅＮＢ３０がパワーダウンされているか、または別の方法で使用不可能に移行していることに応答するものであり得る。次に、ＨｅＮＢ３０は、Ｘ２−ＧＷ４０に、ＨｅＮＢ３０が使用不可能であることを通知する（ステップ４０２）。一実施形態では、この通知は、Ｘ２接続によりＳＣＴＰメッセージを送信することにより達成される。より具体的には、当該メッセージは、ＳＨＵＴＤＯＷＮチャンクまたはＥＲＲＯＲチャンクに、ＨｅＮＢ３０が使用不可能であることを示す、［上位層アボート原因］フィールド５８内の所定の原因を有する、ＳＣＴＰメッセージであり得ると考えられる。このメッセージは、例えば、ＨｅＮＢ３０がパワーダウンしていること、またはさらにはＨｅＮＢ３０がＨｅＮＢであることおよびＨｅＮＢ３０がパワーダウンしていること、をエンコードし得ると考えられる。ＳＣＴＰメッセージは単に１つの好適な実施形態であること、および通知は任意の適切な手段を使用して達成され得ることに留意されたい。この通知は、節電のためにセルを無効にするとｅＮＢ２８が送信されることが可能にされる無効化メッセージ（ｄｅａｃｔｉｖａｔｉｏｎ  ｍｅｓｓａｇｅ）と類似している。現在、ｅＮＢ２８またはＨｅＮＢ３０から別のｅＮＢ２８またはＨｅＮＢ３０へ送信された「ｅＮＢ構成更新（ｅＮＢ  Ｃｏｎｆｉｇｕｒａｔｉｏｎ  Ｕｐｄａｔｅ）」メッセージ内に値「無効化された」を有する、無効化指示ＩＥ（Ｄｅａｃｔｉｖａｔｉｏｎ  Ｉｎｄｉｃａｔｉｏｎ  ＩＥ）を含むことが可能である。１つの可能性が、「パワーダウン」、「ＨｅＮＢパワーダウン」に関する専用値（ｄｅｄｉｃａｔｅｄ  ｖａｌｕｅ）、または何らかの類似した専用値でこれを拡張することである。
【００４８】
ＨｅＮＢ３０が使用不可能であることが通知されると、Ｘ２−ＧＷ４０は、次いで、ＨｅＮＢ３０がＸ２接続を有する１つまたは複数のｅＮＢ２８−１から２８−３に、ＨｅＮＢ３０が使用不可能であることを通知する（ステップ４０４−１から４０４−３）。このことを達成するために、一実施形態では、Ｘ２−ＧＷ４０は、各関連するｅＮＢ２８とＨｅＮＢ３０とに関して、ｅＮＢ２８／ＨｅＮＢ３０が各他のｅＮＢ２８およびＨｅＮＢ３０へのＸ２接続を有する他のｅＮＢ２８およびＨｅＮＢ３０のリストを示す表を使用する。この表は任意の適切な手段により作成され得る。一例として、Ｘ２−ＧＷ４０は、ｅＮＢ２８がＸ２−ＧＷ４０をゲートウェイとして使用してＨｅＮＢ３０への接続を起動する、図８のステップ２０２に記載されているプロセス中に、そのような表をコンパイルすることができると考えられる。
【００４９】
ｅＮＢ２８−１から２８−３は、次いで、ＨｅＮＢ３０が再び使用可能であることをｅＮＢ２８−１から２８−３が通知されるまで、ＨｅＮＢ３０との通信試行を中止する（ステップ４０６−１から４０６−３）。本実施形態では、時としてその後、ＨｅＮＢ３０が使用可能な状態にあるとＨｅＮＢ３０が判定し（ステップ４０８）、応答して、Ｘ２−ＧＷ４０にＨｅＮＢ３０が使用可能であることを通知する（ステップ４１０）。Ｘ２−ＧＷ４０は、次いで、１つまたは複数のｅＮＢ２８−１から２８−３に、ＨｅＮＢ３０が使用可能であることを通知する（ステップ４１２−１から４１２−３）。１つまたは複数のｅＮＢ２８−１から２８−３が、ＨｅＮＢ３０が使用可能であることを通知された後、１つまたは複数のｅＮＢ２８−１から２８−３は、ＨｅＮＢ３０とのＸ２通信接続を再構築する（ステップ４１４−１から４１４−３）。図示されていないが、Ｘ２通信を再構築するために、ｅＮＢ２８とＨｅＮＢ３０とＸ２−ＧＷ４０との間に、いくつかの他のメッセージが存在し得る。
【００５０】
図１０Ｂでは、最初に、ＨｅＮＢ３０が、ＨｅＮＢ３０が使用不可能な状態に移行していると判定する（ステップ５００）。この判定は、ＨｅＮＢ３０がパワーダウンされているか、または別の方法で使用不可能に移行していることに応答するものであり得る。次に、ＨｅＮＢ３０は、Ｘ２−ＧＷ４０に、ＨｅＮＢ３０が使用不可能であることを通知する（ステップ５０２）。一実施形態では、この通知は、Ｘ２接続によりＳＣＴＰメッセージを送信することにより達成される。より具体的には、メッセージは、ＳＨＵＴＤＯＷＮチャンクまたはＥＲＲＯＲチャンクに、ＨｅＮＢ３０が使用不可能であることを示す、［上位層アボート原因］フィールド５８内の所定の原因を有する、ＳＣＴＰメッセージであり得ると考えられる。ＳＣＴＰメッセージは単に１つの好適な実施形態であること、および通知は任意の適切な手段を使用して達成され得ることに留意されたい。Ｘ２−ＧＷ４０は、次いで、ＨｅＮＢ３０がＸ２接続を有する１つまたは複数のｅＮＢ２８−１から２８−３に、ＨｅＮＢ３０が使用不可能であることを通知する（ステップ５０４−１から５０４−３）。ｅＮＢ２８−１から２８−３は、次いで、所定の期間の間、ＨｅＮＢ３０との通信試行を中止する（ステップ５０６−１から５０６−３）。一実施形態では、所定の期間が過ぎた後、１つまたは複数のｅＮＢ２８−１から２８−３は、ＨｅＮＢ３０とのＸ２通信接続を再構築しようとする（ステップ５０８−１から５０８−３）。
【００５１】
いくつかの実施形態では、ＨｅＮＢ３０は、異種ＬＴＥセルラ通信ネットワーク２４内の他の要素に、ＨｅＮＢ３０の使用不可能に関して通知する必要がない。この関連で、図１１は、本開示の一実施形態による、図３の異種ＬＴＥセルラ通信ネットワーク２４のオペレーションを示し、Ｘ２−ＧＷ４０は、１つまたは複数のｅＮＢ２８に、Ｘ２−ＧＷ４０により判定された通りＨｅＮＢ３０が使用不可能であることを直接通知する。最初に、Ｘ２−ＧＷ４０は、ＨｅＮＢ３０が無反応であると判定する（ステップ６００）。この判定は、例えば、Ｘ２−ＧＷ４０によりＨｅＮＢ３０にコンタクトする繰り返された試行の失敗に応答している可能性がある。Ｘ２−ＧＷ４０は、次いで、ＨｅＮＢ３０がＸ２接続を有する１つまたは複数のｅＮＢ２８−１から２８−３に、ＨｅＮＢ３０が使用不可能であることを通知する（ステップ６０２−１から６０２−３）。このことを達成するために、一実施形態では、Ｘ２−ＧＷ４０は、各関連するｅＮＢ２８およびＨｅＮＢ３０に関して、ｅＮＢ２８／ＨｅＮＢ３０が各他のｅＮＢ２８およびＨｅＮＢ３０へのＸ２接続を有する他のｅＮＢ２８およびＨｅＮＢ３０のリストを示す表を使用する。この表は任意の適切な手段により作成され得る。一例として、Ｘ２−ＧＷ４０は、ｅＮＢ２８がＸ２−ＧＷ４０をゲートウェイとして使用してＨｅＮＢ３０への接続を起動する、図８のステップ２０２に記載されているプロセス中に、そのような表をコンパイルすることができると考えられる。１つまたは複数のｅＮＢ２８−１から２８−３は、次いで、ＨｅＮＢ３０との通信試行を中止する（ステップ６０４−１から６０４−３）。
【００５２】
本実施形態では、Ｘ２−ＧＷ４０は、その後、ＨｅＮＢ３０が再び使用可能な状態にあると判定する（ステップ６０６）。Ｘ２−ＧＷ４０は、次いで、１つまたは複数のｅＮＢ２８−１から２８−３に、ＨｅＮＢ３０が使用可能であることを通知する（ステップ６０８−１から６０８−３）。１つまたは複数のｅＮＢ２８−１から２８−３が、ＨｅＮＢ３０が使用可能であることを通知された後、１つまたは複数のｅＮＢ２８−１から２８−３は、ＨｅＮＢ３０とのＸ２通信接続を再構築する（ステップ６１０−１から６１０−３）。前段で検討されている通り、図示されていないが、Ｘ２通信を再構築するために、ｅＮＢ２８とＨｅＮＢ３０とＸ２−ＧＷ４０との間に、いくつかの他のメッセージが存在し得る。
【００５３】
図１０Ａ、図１０Ｂおよび図１１は、ｅＮＢ２８がＸ２−ＧＷ４０によりＨｅＮＢ３０の使用不可能を通知される実施形態を示す。しかし、本開示はこれに限定されない。より一般的に、本明細書に開示されているコンセプトは、別の基地局にその使用不可能を直接通知するために、任意の基地局により用いられることが可能である。この関連で、図１２は、ＨｅＮＢ３０が、ＨｅＮＢ３０が使用不可能になった時にこれらがＸ２接続を有する他のＨｅＮＢ３０および／またはｅＮＢ（単数または複数）２８に直接通知する異種ＬＴＥセルラ通信ネットワーク２４の一実施形態を示す。同プロセスは、ｅＮＢ（単数または複数）２８が使用不可能になった時にこれらがＸ２接続を有する他のｅＮＢ２８および／またはＨｅＮＢ（単数または複数）３０に通知するために、ｅＮＢ（単数または複数）２８により使用され得る。
【００５４】
図１３Ａおよび図１３Ｂは、本発明の一実施形態による、図１２の異種ＬＴＥセルラ通信ネットワーク２４のオペレーションを示し、ＨｅＮＢ３０が、１つまたは複数のｅＮＢ２８に、ＨｅＮＢ３０が使用不可能であることを直接通知する。図１３Ａは、ｅＮＢ２８が、ＨｅＮＢ３０が使用可能であることをｅＮＢ２８が通知されるまで、ＨｅＮＢ３０との通信試行を中止するシナリオを示す。逆に、図１３Ｂは、ｅＮＢ２８が、特定の期間の間、ＨｅＮＢ３０との通信試行を中止するシナリオを示す。
【００５５】
図１３Ａでは、最初に、ＨｅＮＢ３０が、ＨｅＮＢ３０が使用不可能な状態に移行していると判定する（ステップ７００）。この判定は、ＨｅＮＢ３０がパワーダウンされているか、または別の方法で使用不可能に移行していることに応答するものであり得る。次に、ＨｅＮＢ３０が使用不可能状態に移行していると判定することに応答して、ＨｅＮＢ３０は、ｅＮＢ２８に、ＨｅＮＢ３０が使用不可能であることを通知する（ステップ７０２）。一実施形態では、この通知は、Ｘ２接続によりＳＣＴＰメッセージを送信することにより達成される。より具体的には、メッセージは、ＳＨＵＴＤＯＷＮチャンクまたはＥＲＲＯＲチャンクに、ＨｅＮＢ３０が使用不可能であることを示す、［上位層アボート原因］フィールド５８内の所定の原因を有する、ＳＣＴＰメッセージであり得ると考えられる。ＳＣＴＰメッセージは単に１つの好適な実施形態であること、および通知は任意の適切な手段を使用して達成され得ることに留意されたい。ｅＮＢ２８が、次いで、ＨｅＮＢ３０が使用可能であることをｅＮＢ２８が通知されるまで、ＨｅＮＢ３０との通信試行を中止する（ステップ７０４）。本実施形態では、時としてその後、ＨｅＮＢ３０が、ＨｅＮＢ３０が使用可能な状態にあると判定し（ステップ７０６）、応答して、ｅＮＢ２８にＨｅＮＢ３０が使用可能であることを通知する（ステップ７０８）。最後に、ｅＮＢ２８が、ＨｅＮＢ３０が使用可能であることを通知された後、ｅＮＢ２８はＨｅＮＢ３０とのＸ２通信接続を再構築する（ステップ７１０）。
【００５６】
図１３Ｂでは、最初に、ＨｅＮＢ３０が、ＨｅＮＢ３０が使用不可能な状態に移行していると判定する（ステップ８００）。この判定は、ＨｅＮＢ３０がパワーダウンされているか、または別の方法で使用不可能に移行していることに応答するものであり得る。次に、ＨｅＮＢ３０は、ｅＮＢ２８に、ＨｅＮＢ３０が使用不可能であることを通知する（ステップ８０２）。一実施形態では、この通知は、Ｘ２接続によりＳＣＴＰメッセージを送信することにより達成される。図１３Ａに関して前述されている通り、メッセージは、ＳＨＵＴＤＯＷＮチャンクまたはＥＲＲＯＲチャンクに、ＨｅＮＢ３０が使用不可能であることを示す、［上位層アボート原因］フィールド５８内の所定の原因を有する、ＳＣＴＰメッセージであり得ると考えられる。ＳＣＴＰメッセージは単に１つの好適な実施形態であること、および通知は任意の適切な手段を使用して達成され得ることに留意されたい。ｅＮＢ２８は、次いで、所定の期間の間、ＨｅＮＢ３０との通信試行を中止する（ステップ８０４）。一実施形態では、所定の期間が過ぎた後、ｅＮＢ２８は、ＨｅＮＢ３０とのＸ２通信接続を再構築しようとする（ステップ８０６）。
【００５７】
図１４は、本発明の一実施形態による、図３のｅＮＢ２８の１つのブロック図である。図示の通り、ｅＮＢ２８は、通信サブシステム６２と、１つまたは複数の無線ユニット（図示せず）を含む無線サブシステム６４と、ストレージ６８を含む処理サブシステム６６とを含む。通信サブシステム６２は一般に、Ｘ２−ＧＷ４０、いくつかの実施形態ではＨｅＮＢ３０および／または他のｅＮＢ２８との間で通信を送受信するアナログコンポーネント、いくつかの実施形態ではデジタルコンポーネントを含む。無線サブシステム６４は一般に、異種ＬＴＥセルラ通信ネットワーク２４内のＵＥ６０との間でメッセージをワイヤレスで送受信するアナログコンポーネント、いくつかの実施形態ではデジタルコンポーネントを含む。
【００５８】
処理サブシステム６６は、ハードウェアでまたはハードウェアとソフトウェアとの組合せで実装されている。特定の実施形態では、処理サブシステム６６は、例えば、適切なソフトウェアおよび／またはファームウェアでプログラムされており、本明細書に記載されているｅＮＢ２８の機能性のいくつかもしくは全てを実施する、１つもしくはいくつかの汎用もしくは特殊目的のマイクロプロセッサまたは他のマイクロコントローラを含んでいてもよい。さらにまたはあるいは、処理サブシステム６６は、本明細書に記載されているｅＮＢ２８の機能性のいくつかもしくは全てを実施するように構成されている種々のデジタルハードウェアブロック（例えば、１つもしくは複数の特定用途向け集積回路（ＡＳＩＣ）、１つもしくは複数の既成のデジタルおよびアナログハードウェアコンポーネント、またはこれらの組合せ）を含んでいてもよい。さらに、特定の実施形態では、ｅＮＢ２８の前述の機能性は、ランダムアクセスメモリ（ＲＡＭ）、読取り専用メモリ（ＲＯＭ）、磁気記憶デバイス、光学記憶デバイス、もしくは任意の他の適切なタイプのデータ記憶コンポーネントなどの持続性コンピュータ可読媒体に記憶されているソフトウェアまたは他の命令を実行する処理サブシステム６６により、全体的にまたは部分的に、実施されてもよい。
【００５９】
図１５は、本開示の一実施形態による、図３のＨｅＮＢ３０の１つのブロック図である。図示の通り、ＨｅＮＢ３０は、通信サブシステム７０と、１つまたは複数の無線ユニット（図示せず）を含む無線サブシステム７２と、ストレージ７６を含む処理サブシステム７４とを含む。通信サブシステム７０は一般に、Ｘ２−ＧＷ４０、ならびに、いくつかの実施形態では、ｅＮＢ２８および／または他のＨｅＮＢ３０との間で通信を送受信するアナログコンポーネント、いくつかの実施形態ではデジタルコンポーネントを含む。無線サブシステム７２は一般に、異種ＬＴＥセルラ通信ネットワーク２４内のＵＥ６０との間でメッセージをワイヤレスで送受信するアナログコンポーネント、いくつかの実施形態ではデジタルコンポーネントを含む。
【００６０】
処理サブシステム７４は、ハードウェアでまたはハードウェアとソフトウェアとの組合せで実装されている。特定の実施形態では、処理サブシステム７４は、例えば、適切なソフトウェアおよび／またはファームウェアでプログラムされており、本明細書に記載されているＨｅＮＢ３０の機能性のいくつかもしくは全てを実施する、１つもしくはいくつかの汎用もしくは特殊目的のマイクロプロセッサまたは他のマイクロコントローラを含んでいてもよい。さらにまたはあるいは、処理サブシステム７４は、本明細書に記載されているＨｅＮＢ３０の機能性のいくつかもしくは全てを実施するように構成されている種々のデジタルハードウェアブロック（例えば、１つもしくは複数のＡＳＩＣｓ、１つもしくは複数の既成のデジタルアナログおよびハードウェアコンポーネント、またはこれらの組合せ）を含んでいてもよい。さらに、特定の実施形態では、ＨｅＮＢ３０の前述の機能性は、ＲＡＭ、ＲＯＭ、磁気記憶デバイス、光学記憶デバイス、もしくは任意の他の適切なタイプのデータ記憶コンポーネントなどの持続性コンピュータ可読媒体に記憶されているソフトウェアまたは他の命令を実行する処理サブシステム７４により、全体的にまたは部分的に、実施されてもよい。
【００６１】
図１６は、本開示の一実施形態による、図３のＸ２−ＧＷ４０のブロック図である。図示の通り、Ｘ２−ＧＷ４０は、通信サブシステム７８と、ストレージ８２を含む処理サブシステム８０とを含む。通信サブシステム７８は一般に、ＨｅＮＢ３０およびｅＮＢ２８との間で通信を送受信するアナログコンポーネント、いくつかの実施形態ではデジタルコンポーネントを含む。ストレージ８２は、ＲＡＭ、ＲＯＭ、磁気記憶デバイス、光学記憶デバイス、または任意の他の適切なタイプのデータ記憶コンポーネントなどの持続性コンピュータ可読媒体上にあり得る。
【００６２】
処理サブシステム８０は、ハードウェアでまたはハードウェアとソフトウェアとの組合せで実装されている。特定の実施形態では、処理サブシステム８０は、例えば、適切なソフトウェアおよび／またはファームウェアでプログラムされており、本明細書に記載されているＸ２−ＧＷ４０の機能性のいくつかもしくは全てを実施する、１つもしくはいくつかの汎用もしくは特殊目的のマイクロプロセッサまたは他のマイクロコントローラを含んでいてもよい。さらにまたはあるいは、処理サブシステム８０は、本明細書に記載されているＸ２−ＧＷ４０の機能性のいくつかもしくは全てを実施するように構成されている種々のデジタルハードウェアブロック（例えば、１つもしくは複数のＡＳＩＣｓ、１つもしくは複数の既成のデジタルおよびアナログハードウェアコンポーネント、またはこれらの組合せ）を含んでいてもよい。さらに、特定の実施形態では、Ｘ２−ＧＷ４０の前述の機能性は、ＲＡＭ、ＲＯＭ、磁気記憶デバイス、光学記憶デバイス、もしくは任意の他の適切なタイプのデータ記憶コンポーネントなどの持続性コンピュータ可読媒体に記憶されているソフトウェアまたは他の命令を実行する処理サブシステム８０により、全体的にまたは部分的に、実施されてもよい。
【００６３】
以下の頭字語は本開示を通して用いられている。
・３ＧＰＰ：３ｒｄ  Ｇｅｎｅｒａｔｉｏｎ  Ｐａｒｔｎｅｒｓｈｉｐ  Ｐｒｏｊｅｃｔ  第３世代移動体通信システムの標準化プロジェクト
・ＡＮＲ：Ａｕｔｏｍａｔｉｃ  Ｎｅｉｇｈｂｏｒ  Ｒｅｌａｔｉｏｎ  自動隣接関係
・ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ  特定用途向け集積回路
・ＢＳ：Ｂａｓｅ  Ｓｔａｔｉｏｎ  基地局
・ＢＳ−ＢＳ  ＧＷ：Ｂａｓｅ  Ｓｔａｔｉｏｎ  ｔｏ  Ｂａｓｅ  Ｓｔａｔｉｏｎ  Ｇａｔｅｗａｙ  基地局間ゲートウェイ
・ＣＳＧ：Ｃｌｏｓｅｄ  Ｓｕｂｓｃｒｉｂｅｒ  Ｇｒｏｕｐ  限定加入者グループ
・ＤＮＳ：Ｄｏｍａｉｎ  Ｎａｍｅ  Ｓｙｓｔｅｍ  ドメイン名システム
・Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  発展型ユニバーサル地上波無線アクセスネットワーク
・ＥＣＧＩ：Ｅ−ＵＴＲＡＮ  Ｃｅｌｌ  Ｇｌｏｂａｌ  Ｉｄｅｎｔｉｆｉｅｒ  Ｅ−ＵＴＲＡＮセルグローバル識別子
・ＥＣＩ：Ｅ−ＵＴＲＡＮ  Ｃｅｌｌ  Ｉｄｅｎｔｉｆｉｅｒ  Ｅ−ＵＴＲＡＮセル識別子
・ｅＮＢ：Ｅｖｏｌｖｅｄ／Ｅ−ＵＴＲＡＮ  Ｎｏｄｅ  Ｂ  発展型／Ｅ−ＵＴＲＡＮノードＢ
・ＦＱＤＮ：Ｆｕｌｌｙ  Ｑｕａｌｉｆｉｅｄ  Ｄｏｍａｉｎ  Ｎａｍｅ  完全修飾ドメイン名
・ＨｅＮＢ：Ｈｏｍｅ  Ｅｖｏｌｖｅｄ／Ｅ−ＵＴＲＡＮ  Ｎｏｄｅ  Ｂ  ホーム発展型／Ｅ−ＵＴＲＡＮノードＢ
・ＨＰ−ＢＳ：Ｈｉｇｈ−Ｐｏｗｅｒ  Ｂａｓｅ  Ｓｔａｔｉｏｎ  高電力基地局
・ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ  国際移動体加入者識別番号
・ＩＰ：Ｉｎｔｅｒｎｅｔ  Ｐｒｏｔｏｃｏｌ  インターネットプロトコル
・ＩＰｓｅｃ：ＩＰ  Ｓｅｃｕｒｉｔｙ  ＩＰセキュリティ
・ＬＰ−ＢＳ：Ｌｏｗ−Ｐｏｗｅｒ  Ｂａｓｅ  Ｓｔａｔｉｏｎ  低電力基地局
・ＬＴＥ：Ｌｏｎｇ  Ｅｅｒｍ  Ｅｖｏｌｕｔｉｏｎ  ロングタームエボリューション
・ＭＣＣ：Ｍｏｂｉｌｅ  Ｃｏｕｎｔｒｙ  Ｃｏｄｅ  運用地域識別コード
・ＭＭＥ：Ｍｏｂｉｌｉｔｙ  Ｍａｎａｇｅｍｅｎｔ  Ｅｎｔｉｔｉｅｓ  モビリティ管理エンティティ
・ＭＮＣ：Ｍｏｂｉｌｅ  Ｎｅｔｗｏｒｋ  Ｃｏｄｅ  電気通信事業者識別コード
・ＰＣＩ：Ｐｈｙｓｉｃａｌ  Ｃｅｌｌ  ＩＤ  物理セルＩＤ
・ＰＬＭＮ：Ｐｕｂｌｉｃ  Ｌａｎｄ  Ｍｏｂｉｌｅ  Ｎｅｔｗｏｒｋ  公衆陸上移動ネットワーク
・ＲＡＭ：Ｒａｎｄｏｍ  ＡｃｃｅｓｓＭｅｍｏｒｙ  ランダムアクセスメモリ
・ＲＡＮ：Ｒａｄｉｏ  Ａｃｃｅｓｓ  Ｎｅｔｗｏｒｋ  無線アクセスネットワーク
・ＲＯＭ：Ｒｅａｄ  Ｏｎｌｙ  Ｍｅｍｏｒｙ  読取り専用メモリ
・ＳＣＴＰ：Ｓｔｒｅａｍ  Ｃｏｎｔｒｏｌ  Ｔｒａｎｓｍｉｓｓｉｏｎ  Ｐｒｏｔｏｃｏｌ  ストリーム制御伝送プロトコル
・Ｓ−ＧＷ：Ｓｅｒｖｉｎｇ−Ｇａｔｅｗａｙ  サービングゲートウェイ
・ＳｅＧＷ：Ｓｅｃｕｒｉｔｙ  Ｇａｔｅｗａｙ  セキュリティゲートウェイ
・ＳＯＮ：Ｓｅｌｆ  Ｏｒｇａｎｉｚｉｎｇ  Ｎｅｔｗｏｒｋ  自己組織ネットワーク
・ＴＡＣ：Ｔｒａｃｋｉｎｇ  Ａｒｅａ  Ｃｏｄｅ  トラッキングエリアコード
・ＴＡＩ：Ｔｒａｃｋｉｎｇ  Ａｒｅａ  Ｉｄｅｎｔｉｔｙ  トラッキングエリア標識
・ＴＮＬ：Ｔｒａｎｓｐｏｒｔ  Ｎｅｔｗｏｒｋ  Ｌａｙｅｒ  トランスポートネットワーク層
・ＵＥ：Ｕｓｅｒ  Ｅｑｕｉｐｍｅｎｔ  Ｄｅｖｉｃｅ  ユーザ機器デバイス
Ｘ２−ＧＷ：Ｘ２  Ｇａｔｅｗａｙ  Ｘ２ゲートウェイ
【００６４】
当業者は、本開示の好適な実施形態への改良および修正を認識するであろう。全てのそのような改良および修正は、本明細書に開示されているコンセプトおよび後に続く特許請求の範囲の範囲内に入ると考えられる。
【図１】
2015533465.tif 000006
【図２】
2015533465.tif 000007
【図３】
2015533465.tif 000008
【図４】
2015533465.tif 000009
【図５】
2015533465.tif 000010
【図６】
2015533465.tif 000011
【図７Ａ】
2015533465.tif 000012
【図７Ｂ】
2015533465.tif 000013
【図８】
2015533465.tif 000014
【図９】
2015533465.tif 000015
【図１０Ａ】
2015533465.tif 000016
【図１０Ｂ】
2015533465.tif 000017
【図１１】
2015533465.tif 000018
【図１２】
2015533465.tif 000019
【図１３Ａ】
2015533465.tif 000020
【図１３Ｂ】
2015533465.tif 000021
【図１４】
2015533465.tif 000022
【図１５】
2015533465.tif 000023
【図１６】
2015533465.tif 000024
【国際調査報告】
2015533465.tif 000025
2015533465.tif 000026
2015533465.tif 000027
2015533465.tif 000028
2015533465.tif 000029